(57)【要約】【課題】真っ直ぐの光は遮断するとともに、斜め方向の光を内部に導くようにし、あるいはまた見る角度によって見えたり見えなかったりする縦型ブラインドを提供する。【解決手段】開口部側において外側動軸１１と外側回転操作軸１２とによって、外側スラット４０を吊持した外側キャリヤ３７および外側リードキャリヤ３８を移動可能に支持する。また内側において内側移動軸１３と内側回転操作軸１４とによって、内側スラット４４を吊持した内側キャリヤ４１および内側リードキャリヤ４２を移動可能に支持する。【選択図】図２
2016172974.tif 000002
【特許請求の範囲】
【請求項１】
外光が入る開口部の内側に前記開口部に沿って横方向に移動可能に複数のキャリヤを取付け、該キャリヤにそれぞれスラットを吊下げ支持した縦型ブラインドにおいて、
外側であって前記開口部側と内側とにそれぞれ案内手段が設けられ、前記外側と前記内側の２列において前記スラットが移動可能に吊下げ支持された縦型ブラインド。
【請求項２】
外側移動軸と外側回転操作軸とによって外側の移動ユニットが構成され、外側の列のスラットを吊下げ支持する外側キャリヤが移動自在に支持され、内側移動軸と内側回転操作軸とによって内側の移動ユニットが構成され、内側の列のスラットを吊下げ支持する内側キャリヤが移動自在に支持される請求項１に記載の縦型ブラインド。
【請求項３】
前記外側キャリヤによって吊下げ支持される外側の列のスラットと前記内側キャリヤによって吊下げ支持される内側の列のスラットとが移動方向において交互に配される請求項１または請求項２に記載の縦型ブラインド。
【請求項４】
前記開口部を通して前記キャリヤの移動方向と直角方向から入射する光が前記外側の列のスラットと前記内側の列のスラットとによって遮断され、前記開口部を通して前記キャリヤの移動方向に対して斜めの方向から入射する光が前記外側の列のスラットと前記内側の列のスラットとの間の隙間を通して内部に入射する請求項１〜請求項３の何れかに記載の縦型ブラインド。
【請求項５】
前記外側の移動ユニットと前記内側の移動ユニットの移動方向と直角な方向の間隔が移動調整手段によって移動調整可能である請求項2に記載の縦型ブラインド。
【請求項６】
前記移動調整手段が外側のスラットを支持する外側ユニットと内側のスラットを支持する内側ユニットの内の少なくとも一方を前記スラットの移動方向に対して直角な方向に移動自在に案内する案内手段と、前記外側ユニットと前記内側ユニットの内の一方に取付けられている調整レバーとから構成され、前記調整レバーの作動部が他方の長孔に係合している請求項５に記載の縦型ブラインド。
【請求項７】
前記移動調整手段が、水平な支軸によって回転可能な一対の回転体であって、一対の前記回転体が前記外側ユニットと前記内側ユニットの端部に対向して配され、前記回転体の中心に対して互いに対称な位置で前記外側ユニットと前記内側ユニットとを回動可能に支持する請求項５に記載の縦型ブラインド。
【発明の詳細な説明】
【技術分野】
【０００１】
本発明は縦型ブラインドに係り、とくに外光が入る開口部に装着されたガラス戸等の内側に該開口部に沿って横方向に移動可能に複数のキャリヤを取付け、該キャリヤにそれぞれスラットを吊下げ支持した縦型ブラインドに関する。
【背景技術】
【０００２】
従来より、上部に横方向に配されたキャリヤケース内の移動軸および回転操作軸に摺動可能に組合された複数のキャリヤと、これらのキャリヤに上記対応するキャリヤの移動とともに移動しかつキャリヤに対して回転するスラットを備えた縦型ブラインドが知られている。縦型ブラインドは、垂直に吊持されたスラットの多数を遮光部材とするようになっており、キャリヤケースの内部に長さ方向にブラインドを開閉するための移動軸と、スラットの回転のための回転操作軸とを備えている。またキャリヤをキャリヤケースの長さ方向の基端側に集めたブラインドの開き状態から、キャリヤケースの全長に亘ってほぼ均等に配列させたブラインドの閉じ状態の間で開閉できるようにするとともに、ブラインドの閉じ状態において回転操作軸を回転させることによりルーバを垂直軸回りに回転させることができ、これにより調光状態を調節できるようになっている。
【０００３】
ここで従来の縦型ブラインドは、キャリヤによって吊持されるスラットが１列でキャリヤケースの長さ方向に移動されるようになっており、閉じた状態であってしかも遮光状態においては、総てのスラットが開口部側の平面と平行になされ、しかも隣接するスラットが互いに少し重なり合うかほぼ整合する状態で遮光を行なうようにしている。従って、閉じた状態においては、外光はその入射角の如何にかかわらずほぼ完全に遮断される。
【０００４】
一般に南側の窓や開口部に配された縦型ブラインドは、入射光は東から西に向かって移動しても、入射角度の如何に関らず常に光を遮断することになる。すなわち外光の入射角に関らず常に光が遮断される。このために、光の入射角度に応じて光を入射させたり遮断させたりすることができない。
【先行技術文献】
【特許文献】
【０００５】
【特許文献１】特開平５−３３５６８号公報
【特許文献２】特開２００８−２８０８００号公報
【発明の概要】
【発明が解決しようとする課題】
【０００６】
本願発明の課題は、開口部側を通して入射される光の入射方向に応じて外光が遮断されたり入射されたりするようにした縦型ブラインドを提供することである。
【０００７】
本願発明の別の課題は、南側に沿って開口部がある場合に、東側の方向からの外光と西側の方向からの外光とを遮断することなく内部に導くとともに、南側からの光は遮断するようにした縦型ブラインドを提供することである。
【０００８】
本願発明のさらに別の課題は、朝方の東からの光と夕方の西からの光を内部に導き入れるとともに、南の方からの開口部に対して直角の光線を遮断することによって、室内の温度の変化を軽減するようにした縦型ブラインドを提供することである。
【０００９】
本願発明の上記の課題および別の課題は、以下に述べる本願発明の技術的思想、およびその実施の形態によって明らかにされる。
【課題を解決するための手段】
【００１０】
本願の主要な発明は、外光が入る開口部の内側に前記開口部に沿って横方向に移動可能に複数のキャリヤを取付け、該キャリヤにそれぞれスラットを吊下げ支持した縦型ブラインドにおいて、
外側であって前記開口部側と内側とにそれぞれ案内手段が設けられ、前記外側と前記内側の２列において前記スラットが移動可能に吊下げ支持された縦型ブラインドに関するものである。
【００１１】
ここで、外側移動軸と外側回転操作軸とによって外側の移動ユニットが構成され、外側の列のスラットを吊下げ支持する外側キャリヤが移動自在に支持され、内側移動軸と内側回転操作軸とによって内側の移動ユニットが構成され、内側の列のスラットを吊下げ支持する内側キャリヤが移動自在に支持されてよい。また前記外側キャリヤによって吊下げ支持される外側の列のスラットと前記内側キャリヤによって吊下げ支持される内側の列のスラットとが移動方向において交互に配されてよい。また前記開口部を通して前記キャリヤの移動方向と直角方向から入射する光が前記外側の列のスラットと前記内側の列のスラットとによって遮断され、前記開口部を通して前記キャリヤの移動方向に対して斜めの方向から入射する光が前記外側の列のスラットと前記内側の列のスラットとの間の隙間を通して内部に入射するようにしてよい。
【００１２】
また、前記外側の移動ユニットと前記内側の移動ユニットの移動方向と直角な方向の間隔が移動調整手段によって移動調整可能であってよい。また前記移動調整手段が外側のスラットを支持する外側ユニットと内側のスラットを支持する内側ユニットの内の少なくとも一方を前記スラットの移動方向に対して直角な方向に移動自在に案内する案内手段と、前記外側ユニットと前記内側ユニットの内の一方に取付けられている調整レバーとから構成され、前記調整レバーの作動部が他方の長孔に係合してよい。また前記移動調整手段が、水平な支軸によって回転可能な一対の回転体であって、一対の前記回転体が前記外側ユニットと前記内側ユニットの端部に対向して配され、前記回転体の中心に対して互いに対称な位置で前記外側ユニットと前記内側ユニットとを回動可能に支持してよい。
【発明の効果】
【００１３】
本願の主要な発明は、外光が入る開口部の内側に前記開口部に沿って横方向に移動可能に複数のキャリヤを取付け、該キャリヤにそれぞれスラットを吊下げ支持した縦型ブラインドにおいて、
外側であって前記開口部側と内側とにそれぞれ案内手段が設けられ、前記外側と前記内側の２列において前記スラットが移動可能に吊下げ支持されるようにしたものである。
【００１４】
従ってこのような縦型ブラインドによると、開口部の内側に沿って２列にスラットが配列されたブラインド構造となる。従って閉じられた状態における２列のスラットの位置を互いにずらすことによって、斜め方向からの光を入射させ、直角方向からの光を遮断することが可能になる。従って、開口部が南側に沿って形成された場合は、朝方の東側からの光と夕方の西側からの光とが内部に導き入れられるとともに、昼間の真南の方向からの光が完全に遮断されるようになる。
【図面の簡単な説明】
【００１５】
【図１】本発明の第１の実施の形態に係る縦型ブラインドの正面図である。
【図２】同縦型ブラインドのキャリヤの支持構造を示す要部平面図である。
【図３】キャリヤの分解斜視図である。
【図４】リードキャリヤの分解斜視図である。
【図５】内側スラットと外側スラットの配置関係を示す要部平面図である。
【図６】直角方向の光を遮断するスラットの配置を示す要部平面図（Ａ）、および斜め方向の光を内部に導き入れるスラットの配置を示す要部平面図（Ｂ）である。
【図７】第２の実施の形態に係るキャリヤの支持構造を示す要部平面図である。
【図８】外側の列のスラットと内側の列のスラットとの間の距離を縮めた状態のスラットの配置を示す要部平面図（Ａ）、および外側のスラットと内側のスラットとの間の距離を大きくした状態のスラットの配置を示す要部平面図（Ｂ）である。
【図９】変形例に係るキャリヤの支持構造を示す要部平面図である。
【図１０】同支持構造における回転円板の回転によるスラット間の距離の調整の動作を示す回転円板のスラット間の距離を最も大きくした状態の正面図（A）、およびスラット間の距離を小さくした状態の正面図（Ｂ）である。
【発明を実施するための形態】
【００１６】
実施の形態１（図１〜図６）
以下本願発明を図示の実施の形態によって説明する。まず第１の実施の形態を図１〜図６によって説明する。図１および図２は、第１の実施の形態の縦型ブラインドの全体の構成を示しており、図１はその正面図、図２は要部平面図をそれぞれ示している。南側の窓あるいは開口部のガラス戸の内側の取付けられる縦型ブラインドは、図１に示すように細長い箱型であって下部が開放されたキャリヤケース１０を備えている。キャリヤケース１０の内部には、その外側に外側移動軸１１が配されている。そして外側移動軸１１と平行にこの外側移動軸１１に近接して外側回転操作軸１２が配されている。さらにこのキャリヤケース１０内には、内側移動軸１３が配されるとともに、この内側移動軸１３と平行に内側回転操作軸１４が配されている。これらの外側移動軸１１、外側回転操作軸１２、内側移動軸１３、内側回転操作軸１４は、キャリヤケース１０の両端の壁面に取付けられた軸受１５によって回転可能に支持されている。
【００１７】
内側移動軸１３の端部には内側移動操作ホイール２１が固着されている。また内側回転操作軸１４の端部には内側回転操作ホイール２２が固着されている。これらの内側移動操作ホイール２１および内側回転操作ホイール２２には、それぞれ移動操作紐２３および回転操作紐２４が巻付けられている。また外側移動軸１１と内側移動軸１３の端部にはそれぞれスプロケットホイール２７、２８が固着され、これらのスプロケットホイール２７、２８間にローラチェーン２９が巻付けられている。また外側回転操作軸１２と内側回転操作軸１４とにはそれぞれスプロケットホイール３１、３２が固着されるとともに、これらのスプロケットホイール３１、３２にはローラチェーン３３が巻付けられている。
【００１８】
キャリヤケース１０内の外側移動軸１１と外側回転操作軸１２とによって、外側キャリヤ３７と外側リードキャリヤ３８とが支持されている。外側キャリヤ３７は外側移動軸１１によって移動されることなく、これに対して外側リードキャリヤ３８は、外側移動軸１１によって移動され、外側キャリヤ３７を牽引する。そしてこれらの外側キャリヤ３７と外側リードキャリヤ３８は、それらの下端部にそれぞれ図１に示すようにフック３９を備え、これらのフック３９によって外側スラット４０を吊持するようにしている。同様に内側移動軸１３と内側回転操作軸１４とによって内側キャリヤ４１と内側リードキャリヤ４２とが移動可能に支持されるようになっている。そしてこれらの内側キャリヤ４１と内側リードキャリヤ４２にはフック３９が取付けられ、これらのフック３９が内側スラット４４を吊持している。なお外側スラット４０および内側スラット４４はそれぞれ連結紐４５によって互いに連結されている。また外側スラット４０と内側スラット４４の下端にはそれぞれ重りシート４６が取付けられている。
【００１９】
次に上記外側スラット４０および内側スラット４４を吊持して移動させる外側キャリヤ３７および内側キャリヤ４１の構造を図３によって説明する。外側キャリヤ３７および内側キャリヤ４１は同一の構造を有しており、一対の半体によって組立てられるハウジング５０を備えている。ハウジング５０の内表面には四角形の凹部５１が形成されている。そして四角形の凹部５１にはガイド板５２が嵌着されるようになっている。ガイド板５２はその中心部に円形孔５３を備え、この円形孔５３内を上記外側移動軸１１あるいは内側移動軸１３が挿通されるようになっており、円形孔５３によって相対的な空転が行なわれるようにしている。またハウジング５０の壁面には、円形の凹部５４が形成され、この凹部５４にウオームホイール５５が回転可能に保持されている。ウオームホイール５５は、ハウジング５０の表面に形成された半円柱状の凹部５６に保持されているウオーム５７と噛合うようになっている。ウオーム５７の下端には連結軸５８が形成され、この連結軸５８の下端に上記フック３９が取付けられている。フック３９は外側スラット４０あるいは内側スラット４４を吊下げ支持するものである。
【００２０】
次に外側リードキャリヤ３８および内側リードキャリヤ４２について図４により説明する。これらのリードキャリヤ３８、４２はともに同一の構造を成している。そして半体から成るハウジング５０の壁面に形成された四角形の凹部５１に係合板６０が嵌着されている。係合板６０は係止爪６１を内周面に備える円形孔を備えており、この円形孔を外側移動軸１１あるいは内側移動軸１３が挿通されるようになっている。すなわち外側移動軸１１および内側移動軸１３はともに送りねじであって、そのねじ溝の部分に係合板６０の係止爪６１が係合し、これによってねじ送りの動作が達成されるようになっている。外側リードキャリヤ３８および内側リードキャリヤ４２のそれ以外の構造は、上記外側キャリヤ３７および内側キャリヤ４１の構造と同じである。
【００２１】
次に以上のような構成に係る縦型ブラインドの開閉の動作を説明する。図１に示す移動操作紐２３を正方向あるいは逆方向に引張ることによって、内側移動操作ホイール２１が回転駆動される。この移動操作ホイール２１は内側移動軸１３に固着されているために、内側移動軸１３が回転駆動される。しかも内側移動軸１３の回転は、スプロケットホイール２８、２７とローラチェーン２９を介して外側移動軸１１に伝達され、外側移動軸１１が同じ方向に回転駆動される。
【００２２】
外側移動軸１１および内側移動軸１３は外周面にねじ溝を備える送りねじであって、このねじの部分が図４に示すリードキャリヤ３８、４２の係合板６０の係止爪６１に係合されている。従って外側移動軸１１と内側移動軸１３の回転によって、外側リードキャリヤ３８と内側リードキャリヤ４２とがともに外側移動軸１１および内側移動軸１３の軸線方向に押されるか引かれて移動される。これに対して図３の外側キャリヤ３７および内側キャリヤ４１は、対応する外側移動軸１１および内側移動軸１３が貫通するガイド板５２の孔が単なる円形孔であるために、移動軸１１、１３によって移動されることはない。
【００２３】
先端側の外側リードキャリヤ３８と先端側の内側リードキャリヤ４２が外側移動軸１１と内側移動軸１３とによって軸線方向に移動されると、これらのリードキャリヤ３８、４２にフック３９を介して吊持されている外側スラット４０と内側スラット４４とがそれぞれ外側リードキャリヤ３８および内側リードキャリヤ４２と一緒に移動する。すると先端側の外側スラット４０および内側スラット４４が連結紐４５によって連結されている次の外側スラット４０および内側スラット４４を引張るようにし、以下いもづる式に順次後ろに連結されている外側スラット４０および内側スラット４４が外側リードキャリヤ３８および内側リードキャリヤ４２の移動方向に順次移動される。この動作が外側スラット４０および内側スラット４４の開閉の動作である。
【００２４】
次に外側スラット４０および内側スラット４４の回転動作を説明する。図１および図２に示す内側回転操作軸１４の端部に取付けられた回転操作ホイール２２に巻付けられている回転操作紐２４を引張ると、内側回転操作軸１４が回転する。さらにこの内側回転操作軸１４の回転は、スプロケット３２、３１とローラチェーン３３を介して外側回転操作軸１２に伝達され、外側回転操作軸１２が回転される。
【００２５】
外側回転操作軸１２は断面が四角形の角棒であって、その回転は、外側キャリヤ３７の内部のウオームホイール５５に伝達されて回転し、ウオーム５７がウオームホイール５５によって回転される。そしてウオーム５７の回転が、連結軸５８を介してフック３９に伝達されるために、このフック３９に吊持されている外側スラット４０が回転される。さらに外側回転操作軸１２の回転によって、外側リードキャリヤ３８の内部のウオームホイール５５が回転され、ウオーム５７が減速して駆動されるために、このウオーム５７と連結軸５８を介して連結されているフック３９が回転し、フック３９に吊持されている外側スラット４０が回転される。
【００２６】
次に内側回転操作軸１４が内側回転操作ホイール２２によって直接回転されると、この内側回転操作軸１４が貫通する内側キャリヤ４１のウオームホイール５５が回転駆動され、ウオームホイール５５の回転がウオーム５７に伝達される。従ってこのウオーム５７と連結軸５８を介して連結されているフック３９が回転する。そしてフック３９の回転によって、内側スラット４４が回転される。
【００２７】
さらに内側回転操作軸１４の回転によって、内側リードキャリヤ４２の内部に設けられたウオームホイール５５が回転し、ウオーム５７が減速して駆動される。従ってウオーム５７と連結された連結軸５８が回転駆動され、フック３９が回転されてこのフック３９に吊持された内側スラット４４が回転される。
【００２８】
このように外側回転操作軸１２と内側回転操作軸１４の互いに同期した回転によって、図５に示すように外側スラット４０および内側スラット４４がその回転姿勢を変化させることができ、例えば南側に位置するガラス板６５と平行な方向と直角な方向とに切換えて回転される。また外側回転操作軸１２および内側回転操作軸１４によって、外側スラット４０および内側スラット４４が回転調整され、ガラス板６５と平行な方向および直角な方向、その他の角度に任意に回転調整される。
【００２９】
図５はこのような縦型ブラインドにおける内側スラット４４と外側スラット４０との平面上における配置関係を示している。ここで内側スラット４４と外側スラット４０との間のガラス板６５と直角方向の寸法Ｌは、０〜３０ｍｍの範囲内であってよい。また同図においてＡで示す各スラット４０、４４のガラス板６５と平行な横方向の寸法Ａは、３０〜７０ｍｍの範囲内に設定されてよい。また同図においてＢで示す寸法であって、互いに隣接するスラット４０間およびスラット４４間の間隙の寸法は２０〜４０ｍｍの範囲内であってよい。また同図においてＣで示される寸法であって、外側スラット４０と内側スラット４４との互いに重なり合う部分の片側の寸法Ｃは、５から１５ｍｍの範囲内であってよい。
【００３０】
本実施の形態の縦型ブラインドは、とくに図６に示すように、外光の入射角度に応じて光を遮断したり透過させたりすることに大きな特徴を有している。例えば図６Ａに示すように、ガラス窓６５に対して直角方向から入射される光は、外側スラット４０および内側スラット４４によってほぼ完全に遮断される。これは外側スラット４０間の隙間および内側スラット４４間の隙間よりも、外側スラット４０および内側スラット４４の横方向の寸法の方が大きいからである。これに対してガラス板６５に対して斜めの方向からの入射光であって、図６Ｂにおいて点線で示す方向からの光や鎖線で示す方向からの光については、互いに交互に横方向にずれて配される外側スラット４０と内側スラット４４との間の隙間の部分を通って室内に入射する。
【００３１】
とくに本実施の形態のブラインドの特徴は、例えば朝方の東の方からの入射光については、図６Ｂにおいて点線で示すように外側スラット４０の隙間と内側スラット４４の隙間を通して室内に侵入する。また夕方の西日については、同図において鎖線で示すように斜め方向に外側スラット４０の隙間と内側スラット４４の隙間を通して室内に入射する。これに対して正午頃の太陽光であって真南の光については、図６Ａに示すように外側スラット４０および内側スラット４４によって遮光され、室内には入射しない。従ってこのことから、気温が低い朝方や気温が下がってくる夕方の太陽光を取込むとともに、温度が上がってくる日中の外光を遮断する作用を持つようになり、室内における１日の温度の変化を少なくするように調整することが可能になる。
【００３２】
またこのような構成の縦型ブラインドは、外から室内を見る場合あるいは内部から外を見る場合において、真っすぐの方向から見ると外から中が見えなかったり、中から外が見えなかったりする。これに対して斜めの方向からの場合には、外から内側あるいは内から外側がスリット状に見えるようになる。
【００３３】
実施の形態２（図７〜図１０）
次に第２の実施の形態を図７〜図１０によって説明する。この実施の形態は、縦型ブラインドの外側スラット４０と内側スラット４４との間の間隔が調整可能になった構成である。ここでは、図７に示すように、外側スラット４０を移動させる外側ユニット７１と内側スラット４４を移動させる内側ユニット７２の間の距離を移動調整可能にしている。
【００３４】
互いに平行に配される外側ユニット７１と内側ユニット７２とは、それらの長さ方向に間欠的に配された直角方向の案内レール７３によって、上記直角方向に移動調整可能に支持されている。そして一方のユニット、例えば内側ユニット７２の長さ方向のほぼ中央部に支点ピン７５を介して調整レバー７４が回動可能に支持される。そしてこの調整レバー７４の先端側の部分に取付けられた作動ピン７６が他方の外側ユニット７１の長孔７７と噛合うようになっている。ここで外側ユニット７１と案内レール７３との間の相対運動がないように両者を固着しておくと、調整レバー７４を回動させることによって、この調整レバー７４の先端側の作動ピン７６が長孔７７内を移動するとともに、その移動に伴って反力によって外側ユニット７１に対して内側ユニット７２が案内レール７３の長さ方向に移動されることになる。これによって外側ユニット７１と内側ユニット７２との間の間隔が移動調整できるようになる。
【００３５】
図８Ａは上記調整レバー７４を回転させて、外側ユニット７１に近接するように内側ユニット７２を移動させた状態を示している。これに対して図８Ｂは、内側ユニット７２を外側ユニット７１から離間する方向に移動させるようにしたものであって、外側スラット４０と内側スラット４４との間の間隔が大きくなっている。このような構成によれば、とくに斜めに入射される光の入射開始位置および入射終了位置を任意に調整することができる。あるいはまた外部の光の入射角度を任意に調整できるようになる。
【００３６】
次に上記実施の形態の変形例を図９および図１０によって説明する。この実施の形態は、上記調整レバー７４による移動調整に代えて、一対の回転円板８０を用いて外側ユニット７１と内側ユニット７２の間の間隔を調整するようにしたものである。すなわち外側ユニット７１と内側ユニット７２とは、それらの両端が互いに対向して配される一対の回転円板８０に支点ピン８２を介して回動自在に支持されている。しかも回転円板８０は支軸８１を中心として回動されるようになっている。
【００３７】
図１０Ａに示すように、一対の支点ピン８２が互いに対称であって水平な状態で外側ユニット７１と内側ユニット７２とを支持している場合には、両者の間隔が最も大きな状態になる。これに対して回転円板８０を図１０Ｂに示すように支軸８１を中心として回動させると、外側ユニット７１と内側ユニット７２との間の水平方向の距離が次第に近接するようになる。従って回転円板８０の回転角度に応じて外側ユニット７１と内側ユニット７２との間の間隔を調整できるようになる。なおこのときに外側ユニット７１の外側スラット４０と内側ユニット７２の内側スラット４４とが、上下方向の移動をも生ずるが、回転円板８０の直径を小さくしておけば、縦方向における外側スラット４０と内側スラット４４との間の変位を小さくすることが可能である。
【００３８】
以上本願発明を図示の２つの実施の形態によって説明したが、本願発明は上記実施の形態によって限定されることなく、本願発明の技術的思想の範囲内において各種の変更が可能である。例えば上記実施の形態におけるスラットの数や寸法等については、各種の変更が可能である。また各キャリヤの内部構造についても、各種の設計変更が可能である。
【産業上の利用可能性】
【００３９】
本願発明は、建物の窓や開口部の内側に取付けられ、外光を遮断する縦型ブラインドとして広く利用可能である。
【符号の説明】
【００４０】
１０  キャリヤケース
１１  外側移動軸
１２  外側回転操作軸
１３  内側移動軸
１４  内側回転操作軸
１５  軸受
２１  内側移動操作ホイール
２２  内側回転操作ホイール
２３  移動操作紐
２４  回転操作紐
２７、２８  スプロケットホイール
２９  ローラチェーン
３１、３２  スプロケットホイール
３３  ローラチェーン
３７  外側キャリヤ
３８  外側リードキャリヤ
３９  フック
４０  外側スラット
４１  内側キャリヤ
４２  内側リードキャリヤ
４４  内側スラット
４５  連結紐
４６  重りシート
５０  ハウジング
５１  四角形の凹部
５２  ガイド板
５３  円形孔
５４  円形の凹部
５５  ウオームホイール
５６  半円柱状の凹部
５７  ウオーム
５８  連結軸
６０  係合板
６１  係合爪
６５  ガラス板
７１  外側ユニット
７２  内側ユニット
７３  案内レール
７４  調整レバー
７５  支点ピン
７６  作動ピン
７７  長孔
８０  回転円板
８１  支軸
８３  支点ピン
【図１】
2016172974.tif 000003
【図２】
2016172974.tif 000004
【図３】
2016172974.tif 000005
【図４】
2016172974.tif 000006
【図５】
2016172974.tif 000007
【図６】
2016172974.tif 000008
【図７】
2016172974.tif 000009
【図８】
2016172974.tif 000010
【図９】
2016172974.tif 000011
【図１０】
2016172974.tif 000012